(57)【要約】      （修正有）【課題】二重処理槽と二重粉砕処理槽との各々に熱源を与えて処理槽内の被処理物に対して適宜の温度により敏速確実に撹拌、粉砕することができる撹拌、粉砕処理装置を提供する。【解決手段】粉砕処理本体を外周の二重処理槽と内部の二重撹拌粉砕筒と中心の回転軸によって構成され、二重処理槽には、外周筒と内周筒との間に空間部を設け、空間部には、上部に熱源を注入する蒸気入口部と、他方に蒸気出口部を各設けてある。また、二重撹拌粉砕筒には、上部に外筒と内筒との間の空間部を設けて二重槽を形成し、下部には、外周に切抜き穴を設けた破砕筒を一体に形成してある。回転軸には、外周に撹拌翼を巻着してある。また二重撹拌粉砕筒には、内部の空間部に熱源となる蒸気等を上部の一方より注入する蒸気入口部と、他方に排出用の蒸気出口部とを各々設けたことを特徴としている。【選択図】図１
2005177732.tif 000002
【特許請求の範囲】
【請求項１】
粉砕処理槽本体は、外周の二重処理槽と内部の二重撹拌粉砕筒と中心の回転軸よりなる撹拌粉砕処理装置において、前記二重処理槽は、底部を各々有する外周筒と内周筒との中間に空間部を設け、該空間部には、内部に蒸気等の熱源を一方より注入する蒸気入口部と、他方に排出する蒸気出口部とを各装設し、該二重撹拌粉砕筒には、上部に外筒と内筒との間に空間部を設けて二重筒を形成し、下部には外周に切抜き穴を穿設した破砕筒とを一体に形成し、該回転軸には、外周に撹拌用の撹拌翼を巻着したことを特徴とする撹拌粉砕処理装置。
【請求項２】
該二重撹拌粉砕筒には、上面を閉塞し、外筒と内筒との内部に空間部を設け、該空間部に蒸気等の熱源を一方より注入する蒸気入口部と、他方に排出する蒸気出口部とを各々装設したことを特徴とする請求項１の撹拌粉砕処理装置。
【発明の詳細な説明】
【技術分野】
【０００１】  本発明は、各種の有機固形物等に菌体を使用し、二重処理槽の内部の被処理物に対して、該二重処理槽と二重粉砕処理槽の外側と内側との両方から各々熱源を与えて撹拌、粉砕する撹拌粉砕処理装置に関するものである。
【背景技術】
【０００２】  従来この種の撹拌粉砕処理装置は、処理槽の内部にスクリュー軸の外周にスクリュー羽根を巻着したものを撹拌筒の内部に縦設して送り出すと共に、下部の鋸刃及び撹拌筒の外周に設けた粉砕用孔の下部に被処理物を注入し、該粉砕用孔より押し出しされた粉砕は、再度被処理物に落下し、底部から撹拌のスクリューによって撹拌筒内に圧送するものが知られている。
【特許文献１】  特許第２５３３４５８号公報参照
【発明の開示】
【発明が解決しよとうする課題】
【０００３】  本発明は、上記従来の技術で述べた撹拌粉砕処理装置は、被処理物の撹拌と粉砕との調整及び水分と酸素の調節も容易に出来るものであるが、例えば、厨芥等の有機固形物の堆肥化処理等に最も必要な温度管理が不充分である問題点があった。
また、各種の汚泥等の有機物の種類による処理物に対する異なる発酵能力に対する槽内の調整については何等配慮されず無駄な処理時間を要すると云う問題点を有していた。
本発明は、従来の技術の有するこのような問題点に鑑みてなされたものであり、その主たる目的とする所は、二重処理槽には、外周筒と内周筒とによって熱源を送る空間部を設ける。また、二重処理槽の内部に設置する二重撹拌粉砕筒も外筒と内筒とによって熱源を送る空間部を設けて、処理槽内の温度を適宜一定に確保することによって各種の汚泥等の被処理物を短時間で処理することができる撹拌粉砕処理装置を提供するものである。
【課題を解決するための手段】
【０００４】  上記目的を達成するために、本発明の撹拌粉砕処理装置は、粉砕処理槽本体を外周の二重処理槽と、内部の二重撹拌粉砕筒と中心の回転軸とより構成され、その後該二重処理槽は、底部を有する外周筒と内周筒とによって二重の処理槽を形成してある。該二重処理槽には、上部の一方より熱源を注入する蒸気入口部と他方に排出する蒸気出口部とを各装設してある。
次に、該二重撹拌粉砕筒は、底部を有する外筒と内筒とを以って二重の撹拌粉砕筒を形成する。また、該二重撹拌粉砕筒には、下部に外周に切抜き穴を設けた破砕筒を一体に形成したものである。
【０００５】  また、該二重撹拌粉砕筒は、二重の筒体の上面を閉塞し、内部の空間部に対して蒸気等の熱源を一方より注入する蒸気入口部と、他方に排出する蒸気出口部とを各々装設してある。該回転軸には、外周に上昇用の撹拌翼を巻着してある。
【発明の効果】
【０００６】  以上説明したように構成されている本発明の撹拌粉砕処理装置によれば、従来のもののように、自然の温度で粉砕処理するものと比較して温度管理が極めて簡単容易にできると共に、各種の汚泥処理に対応して自由に槽内温度を調整できると云う便利で優れた効果がある。また、本発明は、縦型の外側の二重処理槽と内側の二重撹拌粉砕筒とに熱源を注入して粉砕、撹拌を同時に作動して処理するので各種の有機固形物に対する所要時間を自由に選定して短時間の処理等に優れた効果を達成できるものである。そして、縦型の粉砕処理槽本体を、外周の二重処理槽と、内周の二重撹拌粉砕筒と中心の回転軸との作用で処理物が自然落下方式で循環を繰り返されるので抵抗なく均一な状態で撹拌される効果がある。また、底部を有する外周筒と内周筒との中間に空間部を設け、その空間部の一方より他方に熱源を注入することにより、処理槽内の被処理物の温度を効率よく高低自由に調整できる効果がある。更に、内部に位置する二重撹拌粉砕筒には、下方の外周に切抜き穴を穿設した破砕筒を一体的に形成したので、全体を小型化され破砕を確実とすると共に、破砕物は切抜き穴より自然に押し出され無理な力が必要なく破砕処理される効果がある。また、二重撹拌粉砕筒の上方に設けた上面を閉塞した外筒と内筒との間の空間部に熱源を一方より注入する蒸気入口部と排出用の蒸気出口部を設けたことにより、外周に設けた該二重処理槽の空間部に注入される熱源との内外両方からの相乗効果により効率よく敏速に処理槽内の温度を安定よく上昇できる効果がある。
【発明を実施するための最良の形態】
【０００７】  本発明の実施の形態を説明すると、先ず、粉砕処理槽本体（１）の二重処理槽（２）に設けた空間部（８）に蒸気等による熱源（蒸気１気圧）を注入して温度の管理をし、且つ該二重処理槽（２）の内部に被処理物と共に培養された菌体とを入れ、槽内温度を内容物によって適応する温度の４５℃乃至９０℃の間を使用し、中央の回転軸（５）の外周の撹拌翼（２０）によって上昇させて二重撹拌粉砕筒（３）内に圧送される。この時、二重撹拌粉砕筒（３）は、上部に設けた外筒（１１）と内筒（１２）の間の空間部（１３）に蒸気等の熱源を注入して温度管理をしながら内部の被処理物にも温度を与えて圧送する。そして、該二重撹拌粉砕筒（３）の下方の破砕筒（１４）に設けた切抜き穴（１５）から粉砕押し出されると共に、破砕爪（１６）によっても粉砕される。
また、該二重撹拌粉砕筒（３）の上部開口部に達した粉砕物は、開口部の周縁から押し出され、再度該二重処理槽（２）の内部に分散状態で自然落下させて撹拌し、粉砕を均一な状態で送り込まれものである。
【実施例】
【０００８】  次に、本発明の実施例を図面について説明すると、図１に示すものは、本発明の処理装置を作動させる一部欠除した粉砕処理装置を示し、（１）は、粉砕処理槽本体を示すものである。
前記粉砕処理槽本体（１）は、外周の二重処理槽（２）と、その内部に位置する二重撹拌粉砕筒（３）と、中心部に位置する回転軸（５）とより構成されている。【０００９】  該二重処理槽（２）は、図２に示す如く、底部（９）を有する外周筒（６）と、底部（１０）を有する内周筒（７）との外周の間に約２０ｍｍ程度の空間部（８）を設けて二重槽（４）を形成してある。
該二重処理槽（２）には、該空間部（８）上部から内部にボイラーの蒸気等の熱源を矢印の如く一方より注入する蒸気入口部（２２）と、対向する他方に排出用の蒸気出口部（２３）を各々装設してある。
次に、該二重撹拌粉砕筒（３）には、図３、図４に示す如く、上部に外筒（１１）と内筒（１２）を以って空間を２０ｍｍ程度の空間部（１３）を設けた二重槽（１９）を形成してある。該二重槽（１９）には、上部外周を閉塞し、上部の一方より蒸気等の熱源を矢印の如く注入する蒸気入口部（２２）を設けると共に、蒸気出口側となる他方に蒸気出口部（２３）を装設してある。
更に、該二重撹拌粉砕筒（３）には、上部の該二重槽（１９）の下部に破砕筒（１４）を一体に形成してある。該破砕筒（１４）には、外周に多数の鋏角状の切抜き穴（１５）（１５）を形成してある。また、該破砕筒（１４）の下端には、外周に多数の破砕爪（１６）（１６）を突設形成して切断と撹拌とを効率良く実施するものである。【００１０】  次に、該回転軸（５）には、図５に示す如く、下部の外周より該二重撹拌粉砕筒（３）の内部の被処理物を撹拌しながら矢印方向に送出する撹拌翼（２０）を所定位置まで巻着してある。（２１）は、該回転軸（５）の底部に設けた低部撹拌用の底部撹拌翼を示すものである。
また、図４に示す、底部空間部（１７）は、該二重撹拌粉砕筒（３）の外筒（１１）より内部の内筒（１２）を短寸法とし、隙間を形成して熱源を矢印の如く送風するものである。（１８）の矢印は処理物侵入口を示すものである。符号（２５）の矢印は、該二重撹拌粉砕筒（３）の上方より該二重処理槽（２）の内部に落下する再処理する処理物流出印を示すものである。【００１１】  更に、図１には、該回転軸（５）を作動する装置を示す概略図であって、（２６）は電力入力線を示すもので、該電力入力線（２６）にはモータ（２７）及びベルト（２８）を経て回転軸（５）を回転する減速機（２９）を示したものである。
【図面の簡単な説明】
【００１２】
【図１】  本発明の一部欠除した処理装置及び駆動装置を示す全体の正面図である。
【図２】  同じく本発明の粉砕処理本体の一部欠除した斜面図である。
【図３】  本発明の二重撹拌粉砕筒の内部を開示した一部欠除した斜面図である。
【図４】  同じく本発明の二重撹拌粉砕筒の外筒を示す斜面図である。
【図５】  本発明の撹拌翼を設けた回転軸の正面図である。
【符号の説明】
【００１３】１        粉砕処理槽本体
２        二重処理槽
３        二重撹拌粉砕筒
４、１９  二重槽
５        回転軸
６        外周筒
７        内周筒
８、１３  空間部
９、１０  底部
１１      外筒
１２      内筒
１４      破砕筒
１５      切抜き穴
１６      破砕爪
１７      底部空間部
１８      処理物侵入口
２０      撹拌翼
２２      蒸気入口部
２３      蒸気出口部
２５      処理物流出部
【図１】
2005177732.tif 000003
【図２】
2005177732.tif 000004
【図３】
2005177732.tif 000005
【図４】
2005177732.tif 000006
【図５】
2005177732.tif 000007